【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
ベースレイヤのサンプルに基づいて予測エンハンスメントレイヤサンプルを決定するためのビデオデータをコーディングする方法であって、ここにおいて、前記ベースレイヤのサンプルは第１のビット深度を有し、前記エンハンスメントレイヤのサンプルは前記第１のビット深度よりも大きい第２のビット深度を有し、前記方法は、
前記ベースレイヤサンプルを受信することと、
予備予測エンハンスメントレイヤサンプルを生成するために前記ベースレイヤサンプルに関数を適用することと、
前記ベースレイヤサンプルに関連付けられたパターンカテゴリーまたは強度カテゴリーのうちの１つまたは複数を決定することと、
前記ベースレイヤサンプルに関連付けられた前記１つまたは複数のカテゴリーの各々に対応する調整パラメータを決定することと、
前記予備予測サンプルから改良予測エンハンスメントレイヤサンプルを決定するために、前記決定された調整パラメータの各々を使用して調整計算を行うことと、前記改良予測エンハンスメントレイヤサンプルが、前記第２のビット深度を有する、
を備える、方法。
【請求項２】
前記第１のビット深度が８ビットであり、前記第２のビット深度が１０ビット、１２ビット、および１４ビットのうちの１つである、請求項１に記載の方法。
【請求項３】
前記ベースレイヤサンプルに関連付けられた前記１つまたは複数のカテゴリーのうちの少なくとも１つが、前記ベースレイヤサンプルの１つまたは複数のルミナンス値またはクロミナンス値から決定される、請求項１に記載の方法。
【請求項４】
前記ベースレイヤサンプルに関連付けられた前記１つまたは複数のカテゴリーのうちの少なくとも１つが、前記ベースレイヤサンプルの１つまたは複数のルミナンス値またはクロミナンス値と、前記受信したビデオデータからの少なくとも１つの他のサンプルの１つまたは複数のルミナンス値またはクロミナンス値とから決定される、請求項１に記載の方法。
【請求項５】
前記ベースレイヤサンプルが、可能なルミナンス値のスケール１ルミナンス値を表し、
可能なルミナンス値の前記スケールが複数のルミナンス帯域に分割され、
前記ベースレイヤサンプルによって表される前記ルミナンス値が前記ルミナンス帯域のうちの１つ内にあり、
前記ベースレイヤサンプルに関連付けられた前記カテゴリーのうちの１つは、前記ベースレイヤサンプルがその内にある前記ルミナンス帯域に対応する、請求項１に記載の方法。
【請求項６】
前記ベースレイヤサンプルが、可能なクロミナンス値のスケール上のクロミナンス値を表し、
可能なクロミナンス値の前記スケールが複数のクロミナンス帯域に分割され、
前記ベースレイヤサンプルによって表される前記クロミナンス値が前記クロミナンス帯域のうちの１つ内にあり、
前記ベースレイヤサンプルに関連付けられた前記カテゴリーのうちの１つは、前記ベースレイヤサンプルがその内にある前記クロミナンス帯域に対応する、請求項１に記載の方法。
【請求項７】
前記ベースレイヤサンプルに関連付けられた前記カテゴリーのうちの１つが、前記ベースレイヤサンプルと、前記ビデオデータ中の前記ベースレイヤサンプルに空間的に隣接する他のサンプルとの間の複数の比較の結果に依存する、請求項１に記載の方法。
【請求項８】
前記関数が少なくとも１つの対数演算または指数演算を備える、請求項１に記載の方法。
【請求項９】
前記関数が、左ビットシフト、または２よりも大きいかまたはそれに等しい数による乗算を備える、または、
前記関数が、各可能なベースレイヤサンプル値を対応するエンハンスメントレイヤサンプル値にマッピングするルックアップテーブルを備える、請求項１に記載の方法。
【請求項１０】
前記予備予測サンプルが、前記第２のビット深度に等しいビット深度を有する、請求項１に記載の方法。
【請求項１１】
前記調整パラメータが、比、係数、指数、または対数の底を備える、請求項１に記載の方法。
【請求項１２】
前記調整計算が、加算、減算、乗算、除算、累乗、または対数を備える、請求項１に記載の方法。
【請求項１３】
前記プロセッサが、エンハンスメントレイヤサンプルを決定するために、前記改良予測サンプルに残差値を加算するようにさらに構成された、請求項１に記載の方法。
【請求項１４】
実行されたとき、請求項１から請求項１３のうちの何れか１項に従って前記方法を装置に行わせるコードを備える非一時的コンピュータ可読媒体。
【請求項１５】
ベースレイヤのサンプルに基づいて予測エンハンスメントレイヤサンプルを決定するためのビデオデータをコーディングするように構成されたビデオコーディングデバイスであって、ここにおいて、前記ベースレイヤのサンプルは第１のビット深度を有し、前記エンハンスメントレイヤのサンプルは前記第１のビット深度よりも大きい第２のビット深度を有し、前記ビデオコーディングデバイスは、
前記ベースレイヤを受信するための手段と、
予備予測エンハンスメントレイヤサンプルを生成するために前記ベースレイヤサンプルに関数を適用するための手段と、
前記ベースレイヤサンプルに関連付けられたパターンカテゴリーまたは強度カテゴリーのうちの１つまたは複数を決定するための手段と、
前記ベースレイヤサンプルに関連付けられた前記１つまたは複数のカテゴリーの各々に対応する調整パラメータを決定するための手段と、
前記予備予測サンプルから改良予測エンハンスメントレイヤサンプルを決定するために、前記決定された調整パラメータの各々を使用して調整計算を行うための手段と、前記改良予測エンハンスメントレイヤサンプルが、前記第２のビット深度を有する、
を備える、ビデオコーディングデバイス。
【手続補正２】
【補正対象書類名】明細書
【補正対象項目名】０１６１
【補正方法】変更
【補正の内容】
【０１６１】
[00165]  本発明の様々な実施形態について説明した。これらおよび他の実施形態は以下の特許請求の範囲内に入る。
以下に本願の出願当初の特許請求の範囲に記載された発明を付記する。
[Ｃ１]  ビデオデータをコーディングするように構成された装置であって、前記装置は、
ベースレイヤとエンハンスメントレイヤとに関連付けられたビデオデータを記憶するように構成されたメモリユニットと、前記ベースレイヤが、第１のビット深度を有するベースレイヤサンプルを含む、
前記メモリユニットと通信しているプロセッサと、前記プロセッサは、
予備予測サンプルを生成するために前記ベースレイヤサンプルに関数を適用することと、
前記ベースレイヤサンプルに関連付けられた１つまたは複数のカテゴリーを決定することと、
前記ベースレイヤサンプルに関連付けられた前記１つまたは複数のカテゴリーの各々に対応する調整パラメータを決定することと、
前記予備予測サンプルから改良予測サンプルを決定するために、前記決定された調整パラメータの各々を使用して調整計算を行うことと、前記改良予測サンプルが、前記第１のビット深度よりも大きい第２のビット深度を有する、を行うように構成された、を備える、装置。
[Ｃ２]  前記第１のビット深度が８ビットであり、前記第２のビット深度が１０ビット、１２ビット、および１４ビットのうちの１つである、Ｃ１に記載の装置。
[Ｃ３]  前記ベースレイヤサンプルに関連付けられた前記１つまたは複数のカテゴリーのうちの少なくとも１つが、前記ベースレイヤサンプルの１つまたは複数のルミナンス値またはクロミナンス値から決定される、Ｃ１に記載の装置。
[Ｃ４]  前記ベースレイヤサンプルに関連付けられた前記１つまたは複数のカテゴリーのうちの少なくとも１つが、前記ベースレイヤサンプルの１つまたは複数のルミナンス値またはクロミナンス値と、受信したビデオデータからの少なくとも１つの他のサンプルの１つまたは複数のルミナンス値またはクロミナンス値とから決定される、Ｃ１に記載の装置。
[Ｃ５]  前記ベースレイヤサンプルが、可能なルミナンス値のスケール上のルミナンス値を表し、
可能なルミナンス値の前記スケールが複数のルミナンス帯域に分割され、
前記ベースレイヤサンプルによって表される前記ルミナンス値が前記ルミナンス帯域のうちの１つ内にあり、
前記ベースレイヤサンプルに関連付けられた前記カテゴリーのうちの１つは、前記ベースレイヤサンプルがその内にある前記ルミナンス帯域に対応する、Ｃ１に記載の装置。
[Ｃ６]  前記ベースレイヤサンプルが、可能なクロミナンス値のスケール上のクロミナンス値を表し、
可能なクロミナンス値の前記スケールが複数のクロミナンス帯域に分割され、
前記ベースレイヤサンプルによって表される前記クロミナンス値が前記クロミナンス帯域のうちの１つ内にあり、
前記ベースレイヤサンプルに関連付けられた前記カテゴリーのうちの１つは、前記ベースレイヤサンプルがその内にある前記クロミナンス帯域に対応する、Ｃ１に記載の装置。
[Ｃ７]  前記ベースレイヤサンプルに関連付けられた前記カテゴリーのうちの１つが、前記ベースレイヤサンプルと、前記ビデオデータ中の前記ベースレイヤサンプルに空間的に隣接する他のサンプルとの間の複数の比較の結果に依存する、Ｃ１に記載の装置。
[Ｃ８]  前記関数が少なくとも１つの対数演算または指数演算を備える、Ｃ１に記載の装置。
[Ｃ９]  前記関数が、左ビットシフト、または２よりも大きいかまたはそれに等しい数による乗算を備える、Ｃ１に記載の装置。
[Ｃ１０]  前記関数が、各可能なベースレイヤサンプル値を対応するエンハンスメントレイヤサンプル値にマッピングするルックアップテーブルを備える、Ｃ１に記載の装置。
[Ｃ１１]  前記予備予測サンプルが、前記第２のビット深度に等しいビット深度を有する、Ｃ１に記載の装置。
[Ｃ１２]  前記調整パラメータが、比、係数、指数、または対数の底を備える、Ｃ１に記載の装置。
[Ｃ１３]  前記調整計算が、加算、減算、乗算、除算、累乗、または対数を備える、Ｃ１に記載の装置。
[Ｃ１４]  前記プロセッサが、エンハンスメントレイヤサンプルを決定するために、前記改良予測サンプルに残差値を加算するようにさらに構成された、Ｃ１に記載の装置。
[Ｃ１５]  ビデオデータをコーディングする方法であって、前記方法は、
第１のビット深度を有するベースレイヤサンプルを備える前記ビデオデータを受信することと、
予備予測サンプルを生成するために前記ベースレイヤサンプルに関数を適用することと、
前記ベースレイヤサンプルに関連付けられた１つまたは複数のカテゴリーを決定することと、
前記ベースレイヤサンプルに関連付けられた前記１つまたは複数のカテゴリーの各々に対応する調整パラメータを決定することと、
前記予備予測サンプルから改良予測サンプルを決定するために、前記決定された調整パラメータの各々を使用して調整計算を行うことと、前記改良予測サンプルが、前記第１のビット深度よりも大きい第２のビット深度を有する、を備える、方法。
[Ｃ１６]  前記第１のビット深度が８ビットであり、前記第２のビット深度が１０ビット、１２ビット、および１４ビットのうちの１つである、Ｃ１５に記載の方法。
[Ｃ１７]  前記ベースレイヤサンプルに関連付けられた前記１つまたは複数のカテゴリーのうちの少なくとも１つが、前記ベースレイヤサンプルの１つまたは複数のルミナンス値またはクロミナンス値から決定される、Ｃ１５に記載の方法。
[Ｃ１８]  前記ベースレイヤサンプルに関連付けられた前記１つまたは複数のカテゴリーのうちの少なくとも１つが、前記ベースレイヤサンプルの１つまたは複数のルミナンス値またはクロミナンス値と、前記受信したビデオデータからの少なくとも１つの他のサンプルの１つまたは複数のルミナンス値またはクロミナンス値とから決定される、Ｃ１５に記載の方法。
[Ｃ１９]  前記ベースレイヤサンプルが、可能なルミナンス値のスケール１ルミナンス値を表し、
可能なルミナンス値の前記スケールが複数のルミナンス帯域に分割され、
前記ベースレイヤサンプルによって表される前記ルミナンス値が前記ルミナンス帯域のうちの１つ内にあり、
前記ベースレイヤサンプルに関連付けられた前記カテゴリーのうちの１つは、前記ベースレイヤサンプルがその内にある前記ルミナンス帯域に対応する、Ｃ１５に記載の方法。
[Ｃ２０]  前記ベースレイヤサンプルが、可能なクロミナンス値のスケール上のクロミナンス値を表し、
可能なクロミナンス値の前記スケールが複数のクロミナンス帯域に分割され、
前記ベースレイヤサンプルによって表される前記クロミナンス値が前記クロミナンス帯域のうちの１つ内にあり、
前記ベースレイヤサンプルに関連付けられた前記カテゴリーのうちの１つは、前記ベースレイヤサンプルがその内にある前記クロミナンス帯域に対応する、Ｃ１５に記載の方法。
[Ｃ２１]  前記ベースレイヤサンプルに関連付けられた前記カテゴリーのうちの１つが、前記ベースレイヤサンプルと、前記ビデオデータ中の前記ベースレイヤサンプルに空間的に隣接する他のサンプルとの間の複数の比較の結果に依存する、Ｃ１５に記載の方法。
[Ｃ２２]  前記関数が少なくとも１つの対数演算または指数演算を備える、Ｃ１５に記載の方法。
[Ｃ２３]  前記関数が、左ビットシフト、または２よりも大きいかまたはそれに等しい数による乗算を備える、Ｃ１５に記載の方法。
[Ｃ２４]  前記関数が、各可能なベースレイヤサンプル値を対応するエンハンスメントレイヤサンプル値にマッピングするルックアップテーブルを備える、Ｃ１５に記載の方法。
[Ｃ２５]  前記予備予測サンプルが、前記第２のビット深度に等しいビット深度を有する、Ｃ１５に記載の方法。
[Ｃ２６]  前記調整パラメータが、比、係数、指数、または対数の底を備える、Ｃ１５に記載の方法。
[Ｃ２７]  前記調整計算が、加算、減算、乗算、除算、累乗、または対数を備える、Ｃ１５に記載の方法。
[Ｃ２８]  前記プロセッサが、エンハンスメントレイヤサンプルを決定するために、前記改良予測サンプルに残差値を加算するようにさらに構成された、Ｃ１５に記載の方法。
[Ｃ２９]  実行されたとき、
第１のビット深度を有するベースレイヤサンプルを備えるビデオデータを受信することと、
予備予測サンプルを生成するために前記ベースレイヤサンプルに関数を適用することと、
前記ベースレイヤサンプルに関連付けられた１つまたは複数のカテゴリーを決定することと、
前記ベースレイヤサンプルに関連付けられた前記１つまたは複数のカテゴリーの各々に対応する調整パラメータを決定することと、
前記予備予測サンプルから改良予測サンプルを決定するために、前記決定された調整パラメータの各々を使用して調整計算を行うことと、前記改良予測サンプルが、前記第１のビット深度よりも大きい第２のビット深度を有する、を装置に行わせるコードを備える非一時的コンピュータ可読媒体。
[Ｃ３０]  ビデオデータをコーディングするように構成されたビデオコーディングデバイスであって、前記ビデオコーディングデバイスは、
第１のビット深度を有するベースレイヤサンプルを備える前記ビデオデータを受信するための手段と、
予備予測サンプルを生成するために前記ベースレイヤサンプルに関数を適用するための手段と、
前記ベースレイヤサンプルに関連付けられた１つまたは複数のカテゴリーを決定するための手段と、
前記ベースレイヤサンプルに関連付けられた前記１つまたは複数のカテゴリーの各々に対応する調整パラメータを決定するための手段と、
前記予備予測サンプルから改良予測サンプルを決定するために、前記決定された調整パラメータの各々を使用して調整計算を行うための手段と、前記改良予測サンプルが、前記第１のビット深度よりも大きい第２のビット深度を有する、を備える、ビデオコーディングデバイス。